【事件の表示】
　特願２０１２−５４５０７０「ルートコンフィギュレーションのインプリメンテーション方法及びルーティングデバイス」拒絶査定不服審判事件〔平成２３年　６月３０日国際公開、ＷＯ２０１１／０７６１２２、平成２５年　５月　９日国内公表、特表２０１３−５１５９８６〕について、次のとおり審決する。
【結　論】
　本件審判の請求は、成り立たない。
【理　由】
１．手続の経緯・本願発明
　
　本願は、２０１０年１２月２２日（パリ条約による優先権主張外国庁受理　２００９年１２月２４日　中国）を国際出願日とする出願であって、平成２６年５月２９日付けで拒絶査定がされ、これに対して同年１０月３日に拒絶査定不服審判の請求がなされ、当審において平成２７年８月１０日付けで拒絶理由通知がなされ、同年１１月９日付けで手続補正がされたものである。
　本願の請求項１に係る発明（以下、「本願発明」という。）は、平成２７年１１月９日付け手続補正書の特許請求の範囲の請求項１に記載された、次のとおりのものと認める。
　
「【請求項１】
　ルートコンフィギュレーションのインプリメンテーション方法であって：
　ブラウザに入力されたアドレスがローカルで構成されたアドレスであることが検出された場合、ルーティングデバイスに接続されたディスプレイのタイプを分析するステップと；
　前記ディスプレイが第１のタイプのディスプレイである場合、予め格納された単純化されたページを前記ブラウザに表示するために提供するステップと；
を有し、
　前記ルーティングデバイスに接続されたディスプレイのタイプを分析するステップは、前記ルーティングデバイスに接続された前記ディスプレイの画面解像度またはハードウェアプラットフォーム情報を利用して行われ、
　前記ブラウザのページは、前記ディスプレイに表示され、
　前記単純化されたページは、前記第１のタイプの前記ディスプレイの画面に整合するために通常のページより小さく、少なくともルートコンフィグレーションページを含み、かつ、通常のページより少ないコンテンツを有し、
　前記第１のタイプの前記ディスプレイの前記画面の解像度は、通常の画面のそれより低い、
　方法。」
　
　
２．引用発明・周知事項
　
（１）引用例１
　当審で通知した拒絶理由に引用された、本願出願前に頒布された刊行物である特開２００３−２２４６０２号公報（以下、「引用例１」という。）には、図面とともに以下の記載がある。（下線部は当審において付加した。以下同じ。）　
　
ア．「【０００１】
【発明の属する技術分野】
本発明は
ブロードバンドルータと前記ブロードバンドルータに接続するためのルータインタフェース部を備えたナビゲーション装置とを有するナビゲーションシステムに関する
　
イ．「【０００２】
【従来の技術】近年、家庭内からのインターネット利用は、アナログ回線やＩＳＤＮ回線からＣＡＴＶや、ＡＤＳＬ、ＦＴＴＨといったブロードバンド化が急速にすすんでおり、それに対応したブロードバンドルータと呼ばれる製品が各家庭内に普及してきている。ユーザはそのブロードバンドルータとＰＣとを接続して、高速なインターネット通信を利用している。
【０００３】図１４はブロードバンドルータを利用したインターネット接続の例を示す構成図であり、図１５はパソコン上のブロードバンドルータの設定画面の例を示す設定画面図である。
【０００４】図１４において、１０１はインターネット、１０２はＣＡＴＶやＡＤＳＬなどの高速回線、１０３はケーブルモデムやＡＤＳＬモデムなどのブロードバンドモデム、１０４はブロードバンドルータ、１０５、１０６はユーザの使用するパソコンである。
【０００５】図１４のような接続形態で、ユーザは、宅内のパソコン１０５、１０６から高速でかつ常時接続のインターネット通信を行うことができる。また、ブロードバンドルータ１０４の設定を行う場合は、ユーザは、パソコン１０５、１０６上で図１５のような設定画面を表示させ、各種設定を行っていく。
【０００６】一方、ナビゲーション装置においても、その多機能化、ＩＴ化により、インターネット通信機能を搭載したものも登場している。さらに、車から容易に取り外しのできるポータブルタイプのナビゲーション装置や、ナビゲーション装置の液晶表示部を分離して、歩行ナビゲーション装置や携帯ＰＤＡとして使用できる製品も登場してきた。」（２頁１〜２欄）　
　
ウ．「【００１１】
【発明が解決しようとする課題】このように、従来のナビゲーションシステムでは、ブロードバンドルータの設定は、ユーザが設定したいと思ったときにすぐにできるものではなく、設定画面が表示するまでの数分間の待ち時間と、ある程度のユーザの操作が必要であり、決して便利と言えるものではないという問題点を有していた。
【００１２】このナビゲーションシステムでは、ブロードバンドルータをパソコンを立ち上げることなくナビゲーション装置の画面から簡単に設定することができることが要求されている。
【００１３】
本発明は、ブロードバンドルータをパソコンを立ち上げることなくナビゲーション装置の画面から簡単に設定することができるナビゲーションシステムを提供する
　
エ．「【００２７】（実施の形態１）
図１は本発明の実施の形態１によるナビゲーションシステムを示す構成図
図３は本発明の実施の形態１によるナビゲーションシステムを構成するナビゲーション装置７を示すブロック図
【００２８】図１において、１はインターネット、２は高速回線、３はブロードバンドモデム、
４は宅内等で高速インターネット通信をするために用いる機器であるブロードバンドルータ、５、６はパソコン、７はブロードバンドルータ４と接続するためのルータインタフェース部７４を備えたナビゲーション装置
図３において
７５はナビゲーションの地図情報やインターネットのＷｅｂ画面等の表示を行う表示部
　
オ．「【００２９】図４は、本発明の実施の形態１におけるブロードバンドルータ４とナビゲーション装置７のドッキングイメージ図である。本実施の形態では、ブロードバンドルータ４とナビゲーション装置７とは、分離していても、図４のように結合していてもよい。
【００３０】
このように構成されたナビゲーションシステムについて、その動作を説明する
【００３１】インターネット通信可能なナビゲーション装置７と宅内に設置されているブロードバンドルータ４は、ナビゲーション装置７のルータ側Ｉ／Ｆ部７４とブロードバンドルータ４のナビＩ／Ｆ部４５とを介して接続する。なお、この接続ケーブルには、１０ＢａｓｅＴ等の有線ケーブルでもよいし、あるいはハード的な内部バスを用いてもよいし、あるいは８０２．１１ｂ等の無線通信方式を用いてもよく、有線、無線いかなる形態でもよい。また、形状は、図４に示すように、ブロードバンドルータ４とナビゲーション装置７が機構的にドッキンングするような形状でもよい。要は、ブロードバンドルータ４とナビゲーション装置７との間で、データ通信が可能な構成であればよい。
図１および図４の構成で、ナビゲーション装置７のタッチパネル操作を使ってブロードバンドルータ４の設定を行う動作について説明する。
【００３２】予めインターネット通信を行う為のＴＣＰ／ＩＰ等はナビゲーション装置７に設定されているものとする。また、
ナビゲーション装置７の電源を入れると、Ｗｅｂ閲覧のためのブラウザソフトが表示部７５に表示され、また最初に表示されるホームページは、ブロードバンドルータ４の設定画面（例えばｈｔｔｐ：／／１９２．１６８．０．ＸＸＸ）になるように予め設定されている
【００３３】ユーザは、まず図１のようにブロードバンドルータ４に接続されたナビゲーション装置７の電源を投入する。電源が立ち上がりブラウザソフトが表示されるまでの待ち時間は、ナビゲーション装置７により数秒間かかるものもあるが、パソコン５、６の立上がり時間に比べるとはるかに短い時間で起動する。そして、
ナビゲーション装置７は、通常のホームページ表示手順と同様の処理を行い、予め設定されていたブロードバンドルータ４の設定画面を表示する
【００３４】以上のように本実施の形態によれば、ブロードバンドルータ４とインターネット通信（Ｗｅｂ閲覧）のできるナビゲーション装置７とを連携させることで、ナビゲーション装置７に接続されているブロードバンドルータ４の設定を、ユーザはいちいちパソコンを立上げることなく、ナビゲーション装置７の画面からタッチパネル操作で簡単に設定することができる。」（４頁５〜６欄）
　
カ．「【００４７】（実施の形態４）図１１は本発明の実施の形態４によるナビゲーションシステムを構成するナビゲーション装置４の表示部に表示されるブロードバンドルータ４の設定画面の例を示す画面図であり、
図１２は本発明の実施の形態４によるナビゲーションシステムを構成するブロードバンドルータ４を示すブロック図
【００４８】図１２において、４１はブロードバンドルータ４全体の機能を制御するＣＰＵ、
４２は
インターネットのデータ処理・データ表示等を行う為のプログラム、各種設定等の情報が格納されたメモリ
８０はメモリ４２上に格納されたＰＣ用設定画面データ及びＰＤＡ用設定画面データを含む設定画面データベース、８０１はメモリ４２上に格納された詳細な設定画面のためのＰＣ用設定画面データを格納するＰＣ用設定画面データ格納部、８０２はメモリ４２上に格納された簡易的な設定画面のためのナビ用設定画面データを格納するナビ用設定画面データ格納部
　
キ．「【００４９】こ
のように構成されたナビゲーションシステムについて、ブロードバンドルータ４の設定画面表示動作を、図１１〜図１３を用いて説明する。
【００５０】まず、
ナビゲーション装置７からブロードバンドルータ４の設定画面表示要求（自端末がＰＣではなくナビゲーション装置７である旨のデータを含む）のコマンドが送信される（Ｓ１）
ステップＳ１のコマンドを受信したブロードバンドルータ４は、メモリ４２上に格納されたプログラムが動作して、設定画面データベース８０より検索し、表示する設定画面としてナビ用設定画面データ格納部８０２のナビ用設定画面データを導き出し（Ｓ２）
ナビゲーション装置７にナビ用設定画面データを送信する（Ｓ３）
ナビゲーション装置７の表示部７５（図３参照）には、図１１に示すように、ＰＣ用設定画面データ（図１５参照）よりも簡易的な設定画面が表示される（Ｓ４）
　
ク．「【００５１】なお、本実施の形態ではナビゲーション装置７を使って説明したが、ナビゲーション装置７の代わりにインターネット通信機能を持ったＰＤＡ（Ｐｅｒｓｏｎａｌ  Ｄｅｇｉｔａｌ  Ａｓｓｉｓｔａｎｔｓ）でもよく、一般的にＰＣよりも表示能力が劣っているインターネット対応機器であれば何でもよく、ナビゲーション装置７に限定するものではない。　
【００５２】以上のように本実施の形態によれば、ブロードバンドルータ４に接続する機器が、ナビゲーション装置７のようなパソコンに比べて表示能力の劣るインターネット機器である場合でも、その機器の表示能力に見合った設定画面を表示させることができるため、ユーザの使い勝手が向上する。」（６頁９欄）
　
ケ．「【００５７】請求項５に記載のナビゲーションシステムは、請求項１に記載のナビゲーションシステムにおいて、ブロードバンドルータは、設定画面を表示する表示部の表示能力に見合った数種類の画面パターンを予め保持するメモリと、表示部の表示能力に見合った画面パターンを自動選択してナビゲーション装置に送信させる中央処理装置とを有することにより、ブロードバンドルータに接続される装置が、ナビゲーション装置のようなパソコンに比べて表示能力の劣るインターネット機器である場合でも、その機器の表示能力に見合った設定画面を表示させることができるので、ユーザの使い勝手が向上するという有利な効果が得られる。」（６頁１０欄）
　
　
　上記引用例１の記載を総合すると、引用例１の図１１〜１３に示される実施の形態４は、図１に示される実施の形態１において、ナビゲーション装置に簡易の設定画面が表示される場合を表しているものと認められ、また、図１に示される実施の形態１において、パソコンによるブロードバンドルータの設定は、段落【０００３】〜【０００５】に示される【従来の技術】におけると同様の設定が行われるものと認められる。そして、この分野の技術常識を考慮すると、次のことがいえる。
　
ａ．上記ア、上記ウの段落【００１３】の記載によれば、引用例１は、ブロードバンドルータ４をパソコンを立ち上げることなくナビゲーション装置の画面から簡単に設定することができるナビゲーションシステムに関する発明を記載したものであり、また、上記オの段落【００３０】〜【００３３】、及び上記キには、ナビゲーション装置７によるブロードバンドルータ４の設定の具体的動作が記載されている。
　したがって、引用例１には、ブロードバンドルータの設定をナビゲーション装置から行う方法が記載されているといえる。
　
ｂ．上記エ、図１の記載によれば、上記ａ．の方法は、ブロードバンドルータ４に、パソコン５、６、及びナビゲーション装置７が接続されている構成において実行されるものである。
　　
ｃ．上記カの段落【００４８】、図１２の記載によれば、ブロードバンドルータ４は、ナビゲーション機能やインターネットのデータ処理・データ表示等を行う為のプログラム、各種設定等の情報を格納するメモリ４２、メモリ４２上に格納されたＰＣ用設定画面データ及びＰＤＡ用設定画面データを含む設定画面データベース８０、メモリ４２上に格納された詳細な設定画面のためのＰＣ用設定画面データを格納するＰＣ用設定画面データ格納部８０１、メモリ４２上に格納された簡易的な設定画面のためのナビ用設定画面データを格納するナビ用設定画面データ格納部８０２を有している。
　
ｄ．上記エ、図３の記載によれば、ナビゲーション装置７は、ナビゲーションの地図情報やインターネットのＷｅｂ画面等の表示を行う表示部７５を有しており、また、上記オの段落【００３２】の記載によれば、ナビゲーション装置７の電源を入れると、Ｗｅｂ閲覧のためのブラウザソフトが表示部７５に表示され、また最初に表示されるホームページは、ブロードバンドルータ４の設定画面（例えばｈｔｔｐ：／／１９２．１６８．０．ＸＸＸ）になるように予め設定されている。
　したがって、引用例１には、ナビゲーション装置は、ナビゲーションの地図情報やインターネットのＷｅｂ画面等の表示を行う表示部を有し、電源を入れると、Ｗｅｂ閲覧のためのブラウザソフトが該表示部に表示され、最初に表示されるホームページは、前記ブロードバンドルータの設定画面（例えばｈｔｔｐ：／／１９２．１６８．０．ＸＸＸ）になるように予め設定されている、ことが記載されているといえる。
　
ｅ．上記オの段落【００３３】の記載によれば、ナビゲーション装置７は、通常のホームページ表示手順と同様の処理を行い、予め設定されていたブロードバンドルータの設定画面を表示するものであり、さらに、上記キの段落【００５０】、図１３の記載によれば、ブロードバンドルータの設定画面を表示するために、ナビゲーション装置７からブロードバンドルータ４の設定画面表示要求（自端末がＰＣではなくナビゲーション装置７である旨のデータを含む）のコマンドを送信するステップ（Ｓ１）が記載されている。
　したがって、引用例１には、ナビゲーション装置は、通常のホームページ表示手順と同様の処理を行い、予め設定されていたブロードバンドルータの設定画面を表示するために、ブロードバンドルータに設定画面表示要求（自端末がＰＣではなくナビゲーション装置７である旨のデータを含む）のコマンドを送信するステップ（Ｓ１）、が記載されているといえる。
　
ｆ．上記キの段落【００５０】、図１３には、ステップＳ１のコマンドを受信したブロードバンドルータ４は、メモリ４２上に格納されたプログラムが動作して、設定画面データベース８０より検索し、表示する設定画面としてナビ用設定画面データ格納部８０２のナビ用設定画面データを導き出すステップ（Ｓ２）、が記載されている。
　
ｇ．上記キの段落【００５０】、図１３には、ナビゲーション装置７にナビ用設定画面データを送信するステップ（Ｓ３）、が記載されている。
　
ｈ．上記キの段落【００５０】、図１３には、ナビゲーション装置７の表示部７５（図３参照）には、図１１に示すように、ＰＣ用設定画面データ（図１５参照）よりも簡易的な設定画面が表示されるステップ（Ｓ４）、が記載されており、また、図１１（ナビ用設定画面）と図１５（ＰＣ用設定画面）を比較すると、ナビ用設定画面のコンテンツは、ＰＣ用設定画面のコンテンツより少ないものと認められる。
　したがって、引用例１には、ナビゲーション装置の表示部に、ＰＣ用設定画面よりも簡易的で、コンテンツが少ないナビ用設定画面が表示されるステップ（Ｓ４）、が記載されているといえる。
　
ｉ．上記クの段落【００５２】には、ブロードバンドルータ４に接続する機器が、ナビゲーション装置７のようなパソコンに比べて表示能力の劣るインターネット機器である場合でも、その機器の表示能力に見合った設定画面を表示させることができる、ことが記載されている。
　
　　
　上記引用例１の記載事項及び図面を総合勘案すると、引用例１には、結局、次の発明（以下、「引用発明」という。）が開示されていると認められる。
　
「ブロードバンドルータの設定をナビゲーション装置から行う方法において、
　前記ブロードバンドルータに、パソコン、及び前記ナビゲーション装置が接続されており、
　前記ブロードバンドルータは、ナビゲーション機能やインターネットのデータ処理・データ表示等を行う為のプログラム、各種設定等の情報を格納するメモリ、該メモリ上に格納されたＰＣ用設定画面データ及びＰＤＡ用設定画面データを含む設定画面データベース、前記メモリ上に格納された詳細な設定画面のためのＰＣ用設定画面データを格納するＰＣ用設定画面データ格納部、前記メモリ上に格納された簡易的な設定画面のためのナビ用設定画面データを格納するナビ用設定画面データ格納部を有し、
　前記ナビゲーション装置は、ナビゲーションの地図情報やインターネットのＷｅｂ画面等の表示を行う表示部を有し、電源を入れると、Ｗｅｂ閲覧のためのブラウザソフトが該表示部に表示され、最初に表示されるホームページは、前記ブロードバンドルータの設定画面（例えばｈｔｔｐ：／／１９２．１６８．０．ＸＸＸ）になるように予め設定されており、
　前記ナビゲーション装置は、通常のホームページ表示手順と同様の処理を行い、
　予め設定されていた前記ブロードバンドルータの設定画面を表示するために、前記ブロードバンドルータに設定画面表示要求（自端末がＰＣではなくナビゲーション装置である旨のデータを含む）のコマンドを送信するステップ（Ｓ１）と、
　ステップＳ１のコマンドを受信した前記ブロードバンドルータは、前記メモリ上に格納されたプログラムが動作して、前記設定画面データベースより検索し、表示する設定画面として前記ナビ用設定画面データ格納部の前記ナビ用設定画面データを導き出すステップ（Ｓ２）と、
　前記ナビゲーション装置に前記ナビ用設定画面データを送信するステップ（Ｓ３）と、
　前記ナビゲーション装置の前記表示部に、ＰＣ用設定画面よりも簡易的で、コンテンツが少ないナビ用設定画面が表示されるステップ（Ｓ４）と、
　を有し
　前記ブロードバンドルータに接続する機器が、前記ナビゲーション装置のようなパソコンに比べて表示能力の劣るインターネット機器である場合でも、その機器の表示能力に見合った設定画面を表示させることができる、
　方法。」
　　
 　
（２）引用例２
　本願の優先日前に日本国内において頒布された刊行物である特開２００２−９９８２２号公報（以下、「引用例２」という。）には、図面とともに以下の記載がある。
　
ａ．「【００４４】（１１）本発明の広告システムは、
複数のタイプのリンク広告用ホームページを用意しておき、ユーザーから指定された通信速度および解像度の少なくともひとつに応じて最適なタイプのリンク広告用ホームページを提供すること
【００４５】このようにすることでユーザーは自己のアクセス環境に対応した最適なリンク広告用ホームページの提供を受けることができる。
【００４６】ここでアクセス環境に対応した最適なホームページを提供するとは、
例えばモニタサイズが小さいユーザーには解像度の低いホームページ画像を提供する場合とか、回線速度の遅いユーザーにはページ容量が小さな広告主のホームページに対してリンクが張られたホームページを提供する場合等である
【００４７】このようにすることで、本リンク広告サイトでゲームを行うユーザーの負担を極力軽くすることができる。」
（５頁８欄〜６頁９欄）
（３）引用例３
　本願の優先日前に日本国内において頒布された刊行物である特開平１０−１３３９７３号公報（以下、「引用例３」という。）には、図面とともに以下の記載がある。
　
ａ．「【０００３】
【発明が解決しようとする課題】ＨＴＭＬで記述された情報データの提供に際しては、次のような問題点がある。ＨＴＭＬは原則として文書の見栄えを規定しないにも関わらず、ＨＴＭＬがディスプレイでの表示を主体とした情報提供方法として普及したことにより、表示の際の見栄えも重要視されるようになってきた。さらに、ＨＴＭＬを用いた一般への情報提供が広まるに従って、該ディスプレイとして一般のテレビ受像機が用いられる場合も考えられるようになってきた。
一般のテレビ受像機はコンピュータ用ディスプレイに比べて解像度が低いだけでなく、ワイドテレビ対応等、画面の縦横比率も様々なものがある。低解像度のテレビ受像機でコンピュータ用のディスプレイでの表示を前提とした情報の表示を行なうと、図やテキストのレイアウトが不適切、図、イメージ、文字が小さすぎて見にくい等の問題点がある。また、ワイドテレビの縦横比率の画面で一般の縦横比率の画面で表示されることを前提としたレイアウトの情報を表示すると、画面の両横端の表示エリアを有効に使えず、しかも見栄えが悪い等の問題点がある。
　
ｂ．「【０００５】また、
センタ機が端末機のディスプレイで取扱可能な画面（縦横画素サイズ）にあった情報データを提供するために、センタ機が該端末機に対して該端末機で取扱可能な画面（縦横画素サイズ）を問い合わせる制御コマンドをＨＴＭＬで記述した情報データに組み込んでＨＴＴＰで送信する手段を設け、該情報データを受信した該端末機が、該情報データに組み込まれた制御コマンドを解釈し、該端末機は該端末機で取扱可能な画面（縦横画素サイズ）を該制御コマンドの返り値として該センタ機へ返信する手段を設ける。そして、該センタ機において、該画面（縦横画素サイズ）で適切に表示できる情報データを選択して該端末機へＨＴＴＰで提供する手段を設ける。
　
ｃ．「【００１９】以下の本実施例の説明では（２）の方法を用いて画面サイズ情報２０００を端末機１２０の情報表示処理プログラム５２０へ通知するが、（１）の方法によりセンタ機１１０の情報提供処理プログラム４２０が＜ＭＥＴＡ＞タグ内の記述を解釈し、情報データの送信に先立って該画面サイズ情報を該端末機１２０の情報表示処理プログラム５２０へ通知する実施例も考えられる。なお、本実施例においては、制御コマンド（GetPlayerInfo）は、META HTTP-EQUIV=DISPLAY-COMMAND CONTENT=?GetPlayerInfo=width,heightと記述される。HTTP-EQUIV=DISPLAY-COMMANDは情報表示処理プログラム５２０（（１）の方法を用いた場合は情報提供処理プログラム４２０）を示し、 CONTENT=?GetPlayerInfo=width,heightがそれらの処理プログラムによって解釈され、width,heightが端末機１２０の情報表示処理プログラム５２０へ通知される。
一方、制御コマンド（SendPlayerInfo）は、META HTTP-EQUIV=DISPLAY-COMMAND CONTENT=?SendPlayerInfoと記述される。 HTTP-EQUIV=DISPLAY-COMMANDは情報表示処理プログラム５２０を示し、画面サイズを問い合わせるCONTENT=?SendPlayerInfoが該処理プログラムによって解釈された結果、返り値としてwidth,heightがセンタ機１２０の情報提供処理プログラム４２０へ送信される。なお、widthは画面の横の画素サイズ、heightは縦の画素サイズである。
　
　
　上記引用例２の記載及び図面、上記引用例３の記載及び図面、並びにこの分野の技術常識を考慮すると、本願の優先日前に以下の事項（以下、「周知事項」という。）が周知であったと認められる。
　
「ディスプレイの解像度またはハードウェアプラットフォーム情報を分析し、解像度の低いタイプのディスプレイ用には通常のタイプのディスプレイのものより単純化されたページを送ること。」
　
　
３．対　比
　
　本願発明と引用発明とを対比する。
　
ａ．引用発明の「ブロードバンドルータ」は、本願発明の「ルーティングデバイス」に相当する。
　ここで、本願発明の「ルートコンフィギュレーション」は、段落【０００４】に「従来技術において、最も典型的なルートコンフィギュレーションは、ＰＣ（パーソナル・コンピューター、パソコン）によって実行される。具体的には、（例えばイーサネット、又は、無線ＬＡＮを通じて）物理コネクションがＰＣ及びルータの間で確立されたあと、固定されたプライベートネットワークアドレス（例えば１９２．１６８．１．１）がＰＣのブラウザのアドレスバーに入力される。そして、ブラウザに、図１のページ又はこれに類似したパラメータコンフィギュレーションページが表示され、ルーティング・パラメータを構成（コンフィギュレーション）するために、ユーザに提示される。上記のような通常のページの表示は、ＰＣの表示の解像度が少なくとも８００×６００であることが一般に必要である。図１に示すように、このタイプのパラメータコンフィギュレーションページは、多くの内容を表示でき、整然としたページフォーマットによって、多くのパラメータに関連する。」と記載されるように、ルータに接続される装置に、ルータから設定用のパラメータコンフィギュレーションページを送信し、ルータに接続される装置で、ルータのルーティング・パラメータを構成（コンフィギュレーション）することと認められる。
　一方、引用発明の「ブロードバンドルータの設定」は、段落【０００３】〜【０００５】に記載されるように、ブロードバンドルータからパソコンに送られる図１５に示すようなブロードバンドルータの設定画面を用いて行うものであり、図１５には、ＤＨＣＰ、ＰＰＰｏＥ、または、Ｓｔａｔｉｃの選択が含まれており、これは、ＩＰアドレスの割り当てに関するものと認められ、そして、ＩＰアドレスの割り当てはルーティング・パラメータを構成するものであることは明らかである。
　したがって、引用発明の「ブロードバンドルータの設定」は、本願発明の「ルートコンフィギュレーション」に相当し、引用発明の「ブロードバンドルータの設定をナビゲーション装置から行う方法」は、本願発明の「ルートコンフィギュレーションのインプリメンテーション方法」に相当する。
　　
ｂ．引用発明の「前記ブロードバンドルータに設定画面表示要求（自端末がＰＣではなくナビゲーション装置である旨のデータを含む）のコマンドを送信するステップ（Ｓ１）」は、「通常のホームページ表示手順と同様の処理」で行うものであるから、引用発明の「ブラウザソフトに」「予め設定されていた」「ｈｔｔｐ：／／１９２．１６８．０．ＸＸＸ」はルータのＩＰアドレスと認められ、また、「１９２．１６８．」がローカルアドレスであることは明らかである。
　そして、引用発明の「ナビ用設定画面データを導き出すステップ（Ｓ２）」は、「ステップＳ１のコマンドを受信した前記ブロードバンドルータ」が、「前記メモリ上に格納されたプログラムが動作して、前記設定画面データベースより検索」するものであるが、通常、ルータは最初にルーティングを行うためにブラウザから要求されるアドレスがグローバルアドレスかローカルアドレスかの検出を行うものであり、引用発明の「ステップ（Ｓ２）」においても最初にローカルアドレスかの検出を行って、その後、ルータの「メモリ上に格納されたプログラム」が動作し、「ステップＳ１のコマンド」の分析を行うものと認められる。
　また、「ステップＳ１のコマンド」は、「自端末がＰＣではなくナビゲーション装置である旨のデータ」を含むものであるから、「メモリ上に格納されたプログラム」による分析は、ルータに接続された装置の情報である「自端末がＰＣではなくナビゲーション装置である旨のデータ」を分析するものである。
　さらに、引用発明における「ナビゲーション装置」は「パソコンに比べて表示能力の劣るインターネット機器」であり、このような機器を「第１のタイプ」とし、パソコンを「通常」のタイプと称することは任意である。
　したがって、引用発明の「ナビ用設定画面データを導き出すステップ（Ｓ２）」と、本願発明の「ブラウザに入力されたアドレスがローカルで構成されたアドレスであることが検出された場合、ルーティングデバイスに接続されたディスプレイのタイプを分析するステップ」は、「ブラウザに入力されたアドレスがローカルで構成されたアドレスであることが検出された場合、ルーティングデバイスに接続された装置のタイプを分析するステップ」、の点で共通する。
　さらに、引用発明の「ナビ用設定画面データを導き出すステップ（Ｓ２）」と、本願発明の「前記ルーティングデバイスに接続されたディスプレイのタイプを分析するステップは、前記ルーティングデバイスに接続された前記ディスプレイの画面解像度またはハードウェアプラットフォーム情報を利用して行われ」は、「前記ルーティングデバイスに接続された装置のタイプを分析するステップは、前記ルーティングデバイスに接続された装置の情報を利用して行われ、」の点で共通する。
　
ｃ．引用発明の「ブラウザソフト」、及び「表示部」は、本願発明の「ブラウザ」、及び「ディスプレイ」に相当し、さらに、引用発明の「Ｗｅｂ閲覧のためのブラウザソフトが該表示部に表示され」は、本願発明の「前記ブラウザのページは、前記ディスプレイに表示され」に相当する。
　
ｄ．引用発明の「簡易的な設定画面のためのナビ用設定画面データ」は、「ブラウザソフト」によって「ナビゲーション装置」にブロードバンドルータの設定のための「コンテンツが少ないナビ用設定画面」のページを表示するためのデータであり、また、「前記メモリ上に格納され」、さらに、「ＰＣ用設定画面データ」より「簡易」であるから単純化されたものであり小さいものと認められ、そして、「機器の表示能力に見合った設定画面」であるから、「ナビゲーション装置」の画面に整合されているものと認められる。
　したがって、引用発明の「ナビ用設定画面データ」と、本願発明の「前記単純化されたページは、前記第１のタイプの前記ディスプレイの画面に整合するために通常のページより小さく、少なくともルートコンフィグレーションページを含み、かつ、通常のページより少ないコンテンツを有」することは、「前記単純化されたページは、前記第１のタイプの前記装置の画面に整合するために通常のページより小さく、少なくともルートコンフィグレーションページを含み、かつ、通常のページより少ないコンテンツを有」する点で共通する。
　さらに、引用発明の「前記ナビゲーション装置に前記ナビ用設定画面データを送信するステップ（Ｓ３）」は、「ステップ（Ｓ２）」で「メモリ上に格納されたプログラム」が、「ステップＳ１のコマンド」の分析を行って、「ナビゲーション装置」である場合に導き出した「ナビ用設定画面データ」を、「ナビゲーション装置」に提供するものであるから、引用発明の「ステップ（Ｓ３）」と、本願発明の「前記ディスプレイが第１のタイプのディスプレイである場合、予め格納された単純化されたページを前記ブラウザに表示するために提供するステップ」は、「前記装置が第１のタイプの装置である場合、予め格納された単純化されたページを前記ブラウザに表示するために提供するステップ」の点で共通する。
　
ｅ．引用発明の「ナビゲーション装置」の「表示能力」は、「パソコン」の「表示能力」よりも劣っており、そのことと、本願発明の「前記第１のタイプの前記ディスプレイの前記画面の解像度は、通常の画面のそれより低い」こととは、「前記第１のタイプの装置の表示に関する性能は、通常の装置のそれより低い」点で共通する。
　
　
　そうすると、本願発明と引用発明とは次の点で一致するものと認められる。
　
（一致点）
　
「ルートコンフィギュレーションのインプリメンテーション方法であって：
　ブラウザに入力されたアドレスがローカルで構成されたアドレスであることが検出された場合、ルーティングデバイスに接続された装置のタイプを分析するステップと；
　前記装置が第１のタイプの装置である場合、予め格納された単純化されたページを前記ブラウザに表示するために提供するステップと；
を有し、
　前記ルーティングデバイスに接続された装置のタイプを分析するステップは、前記ルーティングデバイスに接続された装置の情報を利用して行われ、
　前記ブラウザのページは、ディスプレイに表示され、
　前記単純化されたページは、前記第１のタイプの前記装置の画面に整合するために通常のページより小さく、少なくともルートコンフィグレーションページを含み、かつ、通常のページより少ないコンテンツを有し、
　前記第１のタイプの前記装置の表示に関する性能は、通常の装置のそれより低い、
　方法。」
　
　一方、次の各点で相違すると認める。
　
（相違点１）
　一致点でいう「ルーティングデバイスに接続された装置のタイプを分析するステップ」が、本願発明では、「ルーティングデバイスに接続されたディスプレイのタイプを分析するステップ」であり、「前記ルーティングデバイスに接続された前記ディスプレイの画面解像度またはハードウェアプラットフォーム情報を利用して行われ」、「ディスプレイのタイプを分析する」ものであるのに対して、引用発明では、機器のタイプを判別するものであり、ブロードバンドルータに接続された機器の情報を用いるものである点。
　
（相違点２）
　一致点でいう「単純化されたページ」が、本願発明では、「前記ディスプレイが第１のタイプのディスプレイである場合」に提供されるものであるのに対して、引用発明では、「ナビゲーション装置」用に送信される点。　
　
（相違点３）
　一致点でいう「表示に関する性能」が、本願発明では、「画面の解像度」であるのに対して、引用発明では、「表示能力」である点。
　
　
４．検討
　
　そこで、上記各相違点について検討する。
　
　相違点１、２について
　機器の表示能力がディスプレイのタイプによって決まること、及び、ディスプレイの表示能力の指標として、ディスプレイの画面の解像度またはハードウェアプラットフォーム情報を用いることは通常のことであり、また、ディスプレイの解像度またはハードウェアプラットフォーム情報を分析し、解像度の低いタイプのディスプレイ用には通常のタイプのディスプレイのものより単純化されたページを送ることは、引用例２、引用例３にも記載されるように周知の事項である。
　引用例１の段落【００５７】に「・・・、ブロードバンドルータは、設定画面を表示する表示部の表示能力に見合った数種類の画面パターンを予め保持するメモリと、表示部の表示能力に見合った画面パターンを自動選択してナビゲーション装置に送信させる中央処理装置とを有する・・・」と記載されるように、引用発明における表示能力には、表示部（本願発明の「ディスプレイ」に相当。）の画面の表示能力も含まれることは明らかであり、また、引用発明がディスプレイのタイプを判別するようにできないものでもないことは明らかである。
　したがって、引用発明における表示能力の判別を装置のタイプで行うことに代え、ディスプレイのタイプとして解像度またはハードウェアプラットフォーム情報を用い、その際に上記周知の事項を適用して、解像度またはハードウェアプラットフォーム情報に応じたページを提供することは、当業者が容易に想到し得たことである。
　そして、そのようにすることは、引用発明において、相違点１，２に係る本願発明の構成を採用することにほかならない。
　
　相違点３について
　「ナビゲーション装置」の「表示部」の画面の解像度が、パソコンの画面の解像度より低いことは通常のことであり、引用発明において「ナビゲーション装置」の「表示部」の画面の解像度を、パソコンの画面の解像度より低いものとすることは当業者が容易になし得たことである。
   そして、そのようにすることは、引用発明において、相違点３に係る本願発明の構成を採用することにほかならない。
　
　そして、本願発明の効果も、引用発明から想到される構成から当業者が予想できる範囲のものである。
　　
５．むすび
　
　以上のとおりであって、本願発明は、上記引用例１に記載された発明、並びに周知の事項に基づいて当業者が容易に発明をすることができたものであるから、特許法第２９条第２項の規定により特許を受けることができない。
　　
　よって、結論のとおり審決する。